(57)【要約】【課題】本発明は既存の燃料供給システムをセルフサービス方式に改造する際、設定油種とノズル油種とが一致しないことを報知できるように構成することを課題とする。【解決手段】燃料供給システム１０は、給液エリア１２に設置された複数の燃料供給機１４（１４１〜１４ｎ）と、事務所１６内に設置された管理コンピュータ１８と、ＬＡＮ回線２０を介して管理コンピュータ１８に接続されたＰＯＳ本体２２とを有する。管理コンピュータ１８は、ＰＯＳ本体２２に供給許可信号を出力してから所定時間内に供給許可信号がＰＯＳ本体２２より入力されない場合には、異油種信号（種別不一致信号）を出力する燃料種別判断手段を有する。そのため、燃料供給機１４で操作している顧客は、ノズル油種と設定油種とが一致するように、操作をやり直す。これにより、給液許可信号が入力されるため、当該燃料供給機１４での給液が可能になる。【選択図】    図１
2005047521.tif 000002
【特許請求の範囲】
【請求項１】
被燃料供給体に燃料を供給するための燃料供給部と、
該燃料供給部による燃料供給作業の開始を検出し、供給要求信号を出力する供給作業開始検出手段と、
該供給許可信号の入力により前記燃料供給部への燃料の供給を開始する燃料供給手段と、
からなる燃料供給機と、
供給を受けようとする燃料の種別を設定するための燃料種別設定器と、
該燃料種別設定器に設定された燃料の種別と、前記供給作業開始検出手段により検出された前記燃料供給部より供給可能な燃料の種別との一致性を判断し、一致した場合に供給許可信号を出力するＰＯＳ本体と、
燃料の供給許可をしようとする燃料供給部を指定するための指定手段を有し、前記燃料供給機より入力した供給要求信号を前記ＰＯＳ本体に出力すると共に、該指定手段により指定された燃料供給部に対して前記ＰＯＳ本体より供給許可信号が入力されたことを条件に供給許可信号を出力する供給許可指示器と、
からなる燃料供給システムにおいて、
前記供給許可指示器に、前記ＰＯＳ本体に供給要求信号を出力してから所定時間内に前記ＰＯＳ本体より供給許可信号が入力されない場合には、供給要求信号を出力した燃料供給部より供給可能な燃料の種別と前記燃料種別設定器により設定された燃料の種別とが異なることを示す種別不一致信号を出力する燃料種別判断手段を設けたことを特徴とする燃料供給システム。
【発明の詳細な説明】
【０００１】
【発明の属する技術分野】
本発明は燃料供給システムに係り、特にフルサービス方式の燃料販売方式の給液所にセルフサービス方式の燃料販売方式を導入する際に用いて好適な燃料供給システムに関する。
【０００２】
【従来の技術】
従来の燃料供給システムをガソリンや軽油等の油液を車両の燃料タンクに供給する燃料供給システムを例に挙げて以下説明する。
【０００３】
車両への燃料供給を行う給液所に設置された燃料供給システムとしては、給液所の作業員が設定操作、給液操作、給液料金の精算を行うフルサービス方式の燃料供給システムと、顧客（運転者）自身が給液モードの設定、給液作業、給液料金の精算を行うセルフサービス方式の燃料供給システムとがある。
【０００４】
フルサービス方式の燃料供給システムでは、ＰＯＳ本体と燃料供給機と設定器とが通信回線を介して接続されており、ＰＯＳ本体において、設定器によって設定された液種と燃料供給機のノズル（燃料供給部）のうち顧客（運転者）が選択したノズルの液種とを照合して一致した場合に当該燃料供給機に対して給液許可信号を出力するように構成されている。
【０００５】
これに対し、セルフサービス方式の燃料供給システムでは、ＰＯＳ本体ではなく、給液所の管理コンピュータが設定器によって設定された油種と燃料供給機のノズル（燃料供給部）のうち顧客（運転者）が選択したノズルの液種とを照合しており、係員が監視カメラの画像から安全を確認し、管理コンピュータの許可釦（供給許可指示器）を操作することにより、設定器により設定された液種と作業者が選択したノズルの液種とが一致し、かつ、ＰＯＳ端末機より当該ノズルよりの燃料の供給を許可する給液許可信号が入力されたことを条件に、当該燃料供給機に対して給液許可信号を出力するように構成されている。
【０００６】
そして、フルサービス方式からセルフサービス方式に方式変更をする給液所が増加傾向にあり、この場合、フルサービス方式の燃料供給システムに使用していたＰＯＳ本体、燃料供給機、設定器、通信回線等の既存の機器を用いることにより、コストを低減してセルフサービス方式を採用した給液所を実現することが望まれている。
【０００７】
【特許文献１】
特開平１１−１９８９９８号公報
【０００８】
【発明が解決しようとする課題】
しかしながら、既存のフルサービス方式のＰＯＳ本体にセルフサービス方式の管理コンピュータを組み合わせることによりセルフサービス方式の燃料供給システムを実現しようとすると、既存のフルサービス方式の設定器はＰＯＳ本体と通信回線を介して接続されＰＯＳ本体に設定器に設定された液種を通知するのみで管理コンピュータには通知されないことになる。このため、ＰＯＳ本体は設定器によって設定された液種と燃料供給機の液種とを照合して液種が不一致の場合には、給液許可信号を出力せず、かつ、液種が不一致であることを示す信号も出力しないため、燃料供給機で操作している顧客は何故給液が行なえないのかの原因がわからないという問題があった。
【０００９】
そのため、顧客は、いつまで待っても給液を開始できないので、給液所の係員に対して故障ではないかと苦情を寄せることになるが、給液所の係員においても何故給液が行なえないのかの原因がわからず、顧客に対して適切なアドバイスができないという問題点があった。
【００１０】
そこで、本発明は上記課題を解決した燃料供給システムを提供することを目的とする。
【００１１】
【課題を解決するための手段】
本発明は上記課題を解決するため、以下のような特徴を有する。
上記本発明は、被燃料供給体に燃料を供給するための燃料供給部と、
該燃料供給部による燃料供給作業の開始を検出し、供給要求信号を出力する供給作業開始検出手段と、
該供給許可信号の入力により前記燃料供給部への燃料の供給を開始する燃料供給手段と、
からなる燃料供給機と、
供給を受けようとする燃料の種別を設定するための燃料種別設定器と、
該燃料種別設定器に設定された燃料の種別と、前記供給作業開始検出手段により検出された前記燃料供給部より供給可能な燃料の種別との一致性を判断し、一致した場合に供給許可信号を出力するＰＯＳ本体と、
燃料の供給許可をしようとする燃料供給部を指定するための指定手段を有し、前記燃料供給機より入力した供給要求信号を前記ＰＯＳ本体に出力すると共に、該指定手段により指定された燃料供給部に対して前記ＰＯＳ本体より供給許可信号が入力されたことを条件に供給許可信号を出力する供給許可指示器と、
からなる燃料供給システムにおいて、
前記供給許可指示器に、前記ＰＯＳ本体に供給要求信号を出力してから所定時間内に前記ＰＯＳ本体より供給許可信号が入力されない場合には、供給要求信号を出力した燃料供給部より供給可能な燃料の種別と前記燃料種別設定器により設定された燃料の種別とが異なることを示す種別不一致信号を出力する燃料種別判断手段を設けたものであり、種別不一致信号に基づいて燃料供給部の種別と燃料種別設定器により設定された燃料の種別が異なることを燃料供給機で操作している顧客に報知することが可能になったり、また、供給許可指示器において上述の燃料の種別が異なることを給液所の係員に報知することが可能になる。
【００１２】
【発明の実施の形態】
以下、図面と共に本発明の実施の形態について説明する。
図１は本発明になる燃料供給システムの一実施例の概略構成図である。
図１に示されるように、燃料供給システム１０は、給液エリア１２に設置された複数の燃料供給機１４（１４１〜１４ｎ）と、事務所１６内に設置された管理コンピュータ１８と、ＬＡＮ回線２０を介して管理コンピュータ（供給許可指示器）１８に接続されたＰＯＳ本体２２とを有する。
【００１３】
管理コンピュータ１８は、ＬＡＮ回線２０を介して複数の燃料供給機１４（１４１〜１４ｎ）と接続されており、モニタ１８ａに各燃料供給装置１４（１４１〜１４ｎ）の動作状態を表示している。また、管理コンピュータ１８は、ＰＯＳ本体２２に供給許可信号を出力してから所定時間内に供給許可信号がＰＯＳ本体２２より入力されない場合には、供給要求信号を出力した燃料供給機１４の種別と油種設定器２４により設定された燃料の種別が異なることを示す種別不一致信号を出力する燃料種別判断手段を有する。
【００１４】
また、ＰＯＳ本体２２は、ＬＡＮ回線２３を介して燃料種別設定器としての油種設定器２４（２４１〜２４ｎ）が接続されている。そして、複数の油種設定器２４（２４１〜２４ｎ）は、燃料供給機１４（１４１〜１４ｎ）に隣接するように設けられている。
【００１５】
この燃料供給システム１０は、フルサービス方式の燃料供給システムをセルフサービス方式に変更した場合の構成例であり、既存の燃料供給機１４、通信回線２０、ＰＯＳ本体２２、油種設定器２４にセルフサービス方式の管理コンピュータ１８を組み合わせたものである。そのため、給液所全体を新しくするよりも、大幅な改良工事をせずにセルフサービス方式に切り替えられる。
【００１６】
給液料金の精算は、給液終了した顧客が事務所に寄って当該燃料供給機１４の給液量に応じた金額を支払うことになる。
【００１７】
また、燃料供給機１４は、複数の給液ノズル（燃料供給部）２６を有しており、例えば、ハイオクガソリン、レギュラーガソリン、軽油の３種類の燃料の中から任意の種別（油種）を選択して給液操作が行われる。そして、給液開始前段階として、顧客は、油種設定器２４を操作して給液すべき油種を設定し、その後、燃料供給機１４に設けられた当該設定油種の給液ノズル２６をノズル掛け２８から外して給液許可信号が出力されるのを待つ。
【００１８】
ここで、管理コンピュータ１８、燃料供給機１４、ＰＯＳ本体２２、通信回線２０、油種設定器２４が受け持つ役割の概略について説明する。
【００１９】
図２は給液ノズルの油種と設定された油種とが一致した場合の各機器の役割を示す図である。図３は給液ノズルの油種と設定された油種とが不一致の場合の各機器の役割を示す図である。
【００２０】
図２に示されるように、油種設定器２４により給液すべき油種が設定されると、設定油種データがＬＡＮ回線２０を介してＰＯＳ本体２２に転送され、ＰＯＳ本体２２の記憶部（図示せず）に設定油種が記憶される。
【００２１】
油種設定後に顧客が燃料供給機１４の給液ノズル２６をノズル掛け２８から取り上げると、ノズル掛け２８に設けられたノズル外れ信号がＬＡＮ回線２０を介して管理コンピュータ１８、ＰＯＳ本体２２に転送される。ＰＯＳ本体２２では、油種設定器２４から入力された設定油種と、ノズル外れ信号を出力したノズルスイッチ番号に対応するノズル油種とを照合して一致するか否かを判定する。
【００２２】
ＰＯＳ本体２２は、上記設定油種とノズル油種とが一致した場合には、管理コンピュータ１８に給液許可信号を出力する。そして、給液所の係員は、管理コンピュータ１８のモニタ１８ａに給液許可が保持されていることを確認して給液許可釦（図示せず）をオンに操作して当該燃料供給機１４に給液許可信号を送信してポンプを起動させる。
【００２３】
図３に示されるように、例えば、顧客が油種の異なる給液ノズル２６を取り上げた場合、ＰＯＳ本体２２は、設定油種とノズル外れ信号の登録油種とが不一致であるので、管理コンピュータ１８に給液許可信号を出力できない。
【００２４】
そして、管理コンピュータ１８は、ノズル外れ信号が入力されてから予め設定された所定時間が経過しても給液許可信号が入力されない場合には、給液ノズル２６の油種が間違っているのもの判断し、「ノズル油種間違い」をモニタ１８ａに表示する。
【００２５】
これにより、給液所の係員は、管理コンピュータ１８のモニタ１８ａに「ノズル油種間違い」が表示されたことを確認し、顧客に対して当該燃料供給機１４のスピーカ（図示せず）から音声でノズル油種間違いであることを報知する。そのため、許可待ちしていた顧客は、取り上げた給液ノズル２６の油種が間違っていることに気づき、間違った給液ノズル２６をノズル掛け２８に戻し、設定油種と同じ油種の給液ノズル２６を取り上げて給液可能となる。
【００２６】
ここで、燃料供給機１４、管理コンピュータ１８、ＰＯＳ本体２２、油種設定器２４で実行される処理手順について各機器毎に説明する。
【００２７】
図４は油種設定器２４で実行される処理手順を説明するためのフローチャートである。図５はＰＯＳ本体２２で実行される処理手順を説明するためのフローチャートである。図６は管理コンピュータ１８で実行される処理手順を説明するためのフローチャートである。図７は燃料供給機１４で実行される処理手順を説明するためのフローチャートである。
【００２８】
まず、油種設定器２４が実行する処理について説明する。
図４に示されるように、油種設定器２４は、Ｓ１１で油種が指定されたかどうかをチェックする。Ｓ１１において、顧客が給液すべき油種の選択釦（図示せず）をオンに操作すると、Ｓ１２に進み、指定された油種信号をＰＯＳ本体２２へ出力する。このように、油種設定器２４では、既存のフルサービス方式の場合と同様な制御処理を実行しており、ソフトウエアの変更を行わずに済む。
【００２９】
図５に示されるように、ＰＯＳ本体２２は、Ｓ２１で油種設定器２４から油種信号が入力されたかどうかをチェックする。Ｓ２１において、油種信号が油種設定器２４から入力されないときは、Ｓ２２に進み、燃料供給機１４からノズル外れ信号・油種・給液ポイントが入力されたかどうかをチェックする。
【００３０】
Ｓ２２において、燃料供給機１４からノズル外れ信号・油種・給液ポイントが入力されないときは、Ｓ２３に進み、燃料供給機１４から給液終了後の給液データ（給液した油種、給液量、給液金額、燃料供給機の番号等）が入力されたかどうかをチェックする。Ｓ２３において、燃料供給機１４から給液終了後の給液データが入力されないときは、Ｓ２１に戻り、Ｓ２１〜Ｓ２３の処理を繰り返す。
【００３１】
また、上記Ｓ２１において、油種設定器２４から油種信号が入力されたときは、入力された油種データを設定油種として記憶部に記憶して今回の処理を終了する。
【００３２】
また、上記Ｓ２２において、燃料供給機１４からノズル外れ信号・油種・給液ポイントが入力されたときは、Ｓ２５に進み、当該ノズル外れ信号を出力したノズルスイッチ番号に対応するノズル油種をノズル・油種データベースより読み込む。そして、Ｓ２６では、油種設定器２４で設定された設定油種とノズル外れ信号を出力したノズルスイッチ番号に対応するノズル油種とを照合して両油種が一致するか否かを判定する。
【００３３】
Ｓ２６において、設定油種とノズル油種とが一致した場合には、Ｓ２７に進み、ノズル外れ信号を出力した当該燃料供給機１４に対して当該油種の給液許可信号を出力する。また、上記Ｓ２６において、設定油種とノズル油種とが不一致の場合には、上記Ｓ２７の処理を省略して今回の処理を終了する。
【００３４】
また、上記Ｓ２３において、燃料供給機１４から給液終了後の給液データが入力されたときは、Ｓ２８に進み、燃料供給機１４から入力された給液データを記憶部に記憶する。
【００３５】
続いて、Ｓ２９に進み、給液データを印字した伝票を発行して今回の処理を終了する。このように、ＰＯＳ本体２２では、既存のフルサービス方式の場合と同様な制御処理を実行しており、ソフトウエアの変更を行わずに済む。
【００３６】
ここで、管理コンピュータ１８が実行する処理について説明する。
図６に示されるように、管理コンピュータ１８は、Ｓ３１で燃料供給機１４からノズル外れ信号・油種・給液ポイントが入力されたかどうかをチェックする。Ｓ３１において、燃料供給機１４からノズル外れ信号・油種・給液ポイントが入力されないときは、Ｓ３２に進み、管理コンピュータ１８を操作する係員により給液許可された燃料供給機１４の番号（給液ポイント）が指定操作されたかどうかをチェックする。Ｓ３２において、給液許可された燃料供給機１４の番号（給液ポイント）が指定操作されないときは、Ｓ３３に進み、燃料供給機１４から給液終了後の給液データ（給液した油種、給液量、給液金額、燃料供給機の番号等）が入力されたかどうかをチェックする。Ｓ３３において、燃料供給機１４から給液終了後の給液データが入力されないときは、Ｓ３１に戻り、Ｓ３１〜Ｓ３３の処理を繰り返す。
【００３７】
Ｓ３１において、燃料供給機１４からノズル外れ信号・油種・給液ポイントが入力されたときは、Ｓ３４に進み、ノズル外れ信号（供給要求信号）・油種をＰＯＳ本体２２へ出力する。続いて、Ｓ３５に進み、許可待ち時間の計時を開始する。
【００３８】
次のＳ３６では、ＰＯＳ本体２２から給液許可信号（前述したＰＯＳ本体２２のＳ２７参照）が入力されたかどうかをチェックする。Ｓ３６において、ＰＯＳ本体２２から給液許可信号が入力された場合には、Ｓ３７に進み、計時を停止する。
【００３９】
続いて、Ｓ３８に進み、給液許可された燃料供給機１４の番号（給液ポイント）を記憶部に記憶する。これで、ＰＯＳ本体２２から給液許可信号が入力された場合の通常処理が終了する。
【００４０】
また、上記Ｓ３６において、ＰＯＳ本体２２から給液許可信号が入力されない場合には、Ｓ３９に進み、上記Ｓ３５で計時開始してからの経過時間（給液許可待ち時間）が所定時間（任意に設定される）に達したか否かを判定する。そして、Ｓ３９において、計時開始してからの経過時間（給液許可待ち時間）が所定時間に達していない場合には、上記Ｓ３６に戻る。
【００４１】
しかし、Ｓ３９において、計時開始してからの経過時間（給液許可待ち時間）が所定時間に達した場合には、前述したＰＯＳ本体２２のＳ２６の処理で設定油種とノズル油種とが不一致であると判定されたものと判断してＳ４０に進む（請求項の「燃料種別判断手段」に相当する）。
【００４２】
Ｓ４０では、異油種信号（種別不一致信号）を出力すると共に、モニタ１８ａに例えば、「給液ノズルの油種が設定油種と違います。」といった警告メッセージを表示する（請求項の「燃料種別判断手段」に相当する）。これにより、管理コンピュータ１８の係員は、給液許可待ち状態になっている当該燃料供給機１４に対して「給液ノズルの油種が設定油種と違います。」といった音声メッセージをスピーカ（図示せず）から発声させる。続いて、Ｓ４１に進み、計時を停止させる。
【００４３】
このように、燃料供給機１４で操作している顧客は、係員からの音声メッセージにより取り上げた給液ノズルの油種と設定油種とを確認し、どちらが間違っているのかを判断する。そして、顧客は、給液ノズルの油種と設定油種とが一致するように、操作をやり直す。これにより、油種不一致による異油種信号の出力が停止すると共に、Ｓ３６において、給液許可信号が入力されるため、当該燃料供給機１４での給液が可能になる。
【００４４】
また、上記Ｓ３２において、管理コンピュータ１８を操作する係員により給液許可された燃料供給機１４の番号（給液ポイント）が指定操作されたときは、Ｓ４２に進み、指定操作された番号（給液ポイント）の燃料供給機１４に対して給液許可信号を出力する。
【００４５】
また、上記Ｓ３３において、燃料供給機１４から給液終了後の給液データが入力されたときは、Ｓ４３に進み、給液データ（給液した油種、給液量、給液金額、燃料供給機の番号等）をＰＯＳ本体２２に出力する。
【００４６】
ここで、燃料供給機１４が実行する処理について説明する。
図７に示されるように、燃料供給機１４は、Ｓ５１で給液ノズル２６がノズル掛け２８から外されたかどうかをチェックする。Ｓ５１において、ノズル掛け２８に設けられたノズルスイッチ（図示せず）がオンであるときは、給液ノズル２６がノズル掛け２８に掛止された状態であるので、Ｓ５２に進み、管理コンピュータ１８から給液許可信号が入力されたかどうかをチェックする。Ｓ５２において、管理コンピュータ１８から給液許可信号が入力されないときは、Ｓ５１に戻り、Ｓ５１，Ｓ５２の処理を繰り返す。
【００４７】
また、上記Ｓ５１において、ノズル掛け２８に設けられたノズルスイッチ（図示せず）がオフであるときは、給液ノズル２６がノズル掛け２８から外されたため、Ｓ５３に進み、ノズル外れ信号（供給要求信号）及び油種、給液ポイント（燃料供給機の番号）などのデータを管理コンピュータ１８に出力する。これで、給液ノズル２６を取り上げたときの処理を終了する。
【００４８】
また、上記Ｓ５２において、管理コンピュータ１８から給液許可信号が入力されたときは、Ｓ５４に進み、ポンプ（図示せず）を起動させる。続いて、Ｓ５５に進み、給液制御（プリセット給液制御、または満タン給液制御）を行う。
【００４９】
次のＳ５６では、給液ノズル２６がノズル掛け２８に戻されたかどうかをチェックする。Ｓ５６において、ノズル掛け２８に設けられたノズルスイッチ（図示せず）がオフであるときは、給液ノズル２６がノズル掛け２８から外されたままであるため、Ｓ５５に戻り、給液制御（プリセット給液制御、または満タン給液制御）を継続する。
【００５０】
また、Ｓ５６において、ノズル掛け２８に設けられたノズルスイッチ（図示せず）がオンであるときは、給液ノズル２６がノズル掛け２８に戻されたため、Ｓ５７に進み、ポンプを停止させる。続いて、Ｓ５８では、給液終了後の給液データ（給液した油種、給液量、給液金額、燃料供給機の番号等）を管理コンピュータ１８に出力する。これで、給液ノズル２６をノズル掛け２８に戻したときの処理を終了する。
【００５１】
このように、燃料供給機１４では、既存のフルサービス方式の場合と同様な制御処理を実行しており、ソフトウエアの変更を行わずに済む。従って、既存のフルサービス方式の燃料供給システムに管理コンピュータ１８を接続することにより簡易型セルフサービス方式の燃料供給システムに改造することが可能になり、しかも既存の設備をできるだけ活用することにより、工事費が安価になり、工事期間も短縮することが可能になる。
【００５２】
また、本燃料供給システム１０においては、フルサービス方式からセルフサービス方式に移行するのに伴って、顧客自身が設定操作及び給液操作を行ない、給液終了後は給液所の事務所で給液金額を精算することになる。
【００５３】
その際、顧客は、油種設定操作により設定された油種と、給液ノズル２６の選択によるノズル油種とが一致している場合には、給液許可が出力されて給液を開始することができる。
【００５４】
尚、給液ノズル２６が誤って別の油種である場合には、管理コンピュータ１８から異油種信号（種別不一致信号）が出力されるため、上記のように係員が顧客に油種間違いであることを報知しても良いし、これに限らず、例えば、燃料供給機１４に搭載されたモニタに「給液ノズルの油種が設定油種と違います。」といった警告メッセージを表示させて顧客に報知するようにしても良い。
【００５５】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００５６】
また、上記実施の形態では、地上設置型の計量機に取り付けられた構成を一例として挙げたが、これに限らず、懸垂式の給液装置にも適用できるのは勿論である。
【００５７】
【発明の効果】
上述の如く、本発明によれば、記供給許可指示器に、ＰＯＳ本体に供給要求信号を出力してから所定時間内にＰＯＳ本体より供給許可信号が入力されない場合には、供給要求信号を出力した燃料供給部より供給可能な燃料の種別と前記燃料種別設定器により設定された燃料の種別とが異なることを示す種別不一致信号を出力する燃料種別判断手段を設けたため、種別不一致信号に基づいて燃料供給部の種別と燃料種別設定器により設定された燃料の種別が異なることを燃料供給機で操作している報知することができたり、また、供給許可指示器で給液所の係員に対して報知することができるので、これにより、既存のフルサービス方式の設備をセルフサービス方式の構成に切り替えることが可能になり、しかも既存の設備をできるだけ活用することにより、工事費が安価になり、工事期間も短縮することができる。
【図面の簡単な説明】
【図１】本発明になる燃料供給システムの一実施例の概略構成図である。
【図２】給液ノズルの油種と設定された油種とが一致した場合の各機器の役割を示す図である。
【図３】給液ノズルの油種と設定された油種とが不一致の場合の各機器の役割を示す図である。
【図４】油種設定器２４で実行される処理手順を説明するためのフローチャートである。
【図５】ＰＯＳ本体２２で実行される処理手順を説明するためのフローチャートである。
【図６】管理コンピュータ１８で実行される処理手順を説明するためのフローチャートである。
【図７】燃料供給機１４で実行される処理手順を説明するためのフローチャートである。
【符号の説明】
１０  給液システム
１４（１４１〜１４ｎ）  燃料供給機
１８  管理コンピュータ
２２  ＰＯＳ本体
２４（２４１〜２４ｎ）  油種設定器
２６  給液ノズル
２８  ノズル掛け
【図１】
2005047521.tif 000003
【図２】
2005047521.tif 000004
【図３】
2005047521.tif 000005
【図４】
2005047521.tif 000006
【図５】
2005047521.tif 000007
【図６】
2005047521.tif 000008
【図７】
2005047521.tif 000009